(57)【要約】【課題】  電池パックを容易に携帯可能とする端子カバーを提供する。【解決手段】  端子カバー１０は、２次電池を有する電池パック２０に装着されると電池パックの端子を保護すると共に外側に位置する外面を有する本体１と、外面に設けられた係止部３と、を有する。【選択図】図３
2012119108.tif 000002
【特許請求の範囲】
【請求項１】
２次電池を有する電池パックに装着されると前記電池パックの端子を保護すると共に外側に位置する外面を有する本体と、
前記外面に設けられた係止部と、
を有することを特徴とする端子カバー。
【請求項２】
前記本体は、互いに対向して平行な２つの側端部にそれぞれガイドレール部を有し、前記本体は、前記電池パックに対して前記ガイドレール部を挿入方向に挿入させることによって前記電池パックに装着され、
前記係止部は、前記本体と連結された連結部と、先端部とを有し、
前記係止部は、前記先端部が、前記挿入方向において前記連結部の上流側に位置するように前記本体に対して設けられていることを特徴とする請求項１に記載の端子カバー。
【請求項３】
前記ガイドレール部は、前記電池パックと係合する係合部を有することを特徴とする請求項２に記載の端子カバー。
【請求項４】
前記係止部は、前記挿入方向に対して直交する方向を前記本体の幅とするときに、前記幅方向の中心部に位置することを特徴とする請求項２及び３のいずれか一に記載の端子カバー。
【請求項５】
前記本体が前記電池パックに装着されたときに、前記係止部の連結部は、前記挿入方向において前記電池パックの重心よりも下流側に位置することを特徴とする請求項２から４のいずれか一に記載の端子カバー。
【請求項６】
前記本体は、前記挿入方向に挿入された前記電池パックの係合手段と係合する係合保持部を有することを特徴とする請求項１から５のいずれか一に記載の端子カバー。
【請求項７】
請求項１から６までのいずれか一に記載の端子カバーを有することを特徴とする電池パック。
【発明の詳細な説明】
【技術分野】
【０００１】
本発明は、電池パックに使用される端子カバー及び電池パックに関する。
【背景技術】
【０００２】
一般に、端子カバーは、電池パックの充電端子や放電端子などの複数の端子が金属等の異物混入により短絡することを防止するために使用される。従って、端子カバーは、電池パックの複数の端子の間に、少なくとも１つ以上の差し込み部を差し込むことによって電池パックと係合されて電池パックに固定される構造を取っている。
【先行技術文献】
【特許文献】
【０００３】
【特許文献１】特開２００９-２１２０５４号公報
【発明の概要】
【発明が解決しようとする課題】
【０００４】
しかし、従来の端子カバーは、電池パックの異物混入による短絡防止を目的とするのみであった。そこで、本発明は、機能が多角化された端子カバーを提供するものである。
【課題を解決するための手段】
【０００５】
請求項１記載の端子カバーは、２次電池を有する電池パックに装着されると前記電池パックの端子を保護すると共に外側に位置する外面を有する本体と、前記外面に設けられた係止部と、を有することを特徴とする。上記構成により、端子カバーが装着された電池パックを携帯するときに、例えば作業者のズボンのベルトなどに係止部を係止させることができ、電池パックを容易に運搬することができる。
【０００６】
請求項２記載の端子カバーは、請求項１に記載の端子カバーであって、前記本体は、互いに対向して平行な２つの側端部にそれぞれガイドレール部を有し、前記本体は、前記電池パックに対して前記ガイドレール部を挿入方向に挿入させることによって前記電池パックに装着され、前記係止部は、前記本体と連結された連結部と、先端部とを有し、前記係止部は、前記先端部が、前記挿入方向において前記連結部の上流側に位置するように前記本体に対して設けられていることを特徴とする。上記構成により、電池パックに装着させた端子カバーを、係止部によって他のものや作業者に係止させているときに、電池パックの重力は、挿入方向とは反対方向に作用する。このとき、端子カバーの本体は、電池パックに装着された状態を維持することができるので、電池パックから外れることが防止される。よって、電池パックの落下を防止できる。
【０００７】
請求項３記載の端子カバーは、請求項２に記載の端子カバーであって、前記ガイドレール部は、前記電池パックと係合する係合部を有することを特徴とする。上記構成により、電池パックを端子カバーの係止部を他のものや作業者に係止させて搬送するときに、端子カバーの本体は、電池パックに装着された状態を維持することができるので、電池パックから外れることが防止される。よって、電池パックの落下を防止できる。
【０００８】
請求項４記載の端子カバーは、請求項２及び３のいずれか一に記載の端子カバーであって、前記係止部は、前記挿入方向に対して直交する方向を前記本体の幅とするときに、前記幅方向の中心部に位置することを特徴とする。従って、端子カバーの係止部を他のものや作業者に係止させて電池パックを搬送するときに、電池パックのバランスをとることができ、電池パックを安定して搬送することができる。
【０００９】
請求項５記載の端子カバーは、請求項２から４のいずれか一に記載の端子カバーであって、前記本体が前記電池パックに装着されたときに、前記係止部の連結部は、前記挿入方向において前記電池パックの重心よりも下流側に位置することを特徴とする。端子カバーを電池パックに装着して搬送するときに、係止部の連結部の重力方向下流に電池パックの重心が位置するので、電池パックのバランスをとることができ、電池パックを安定して搬送することができる。
【００１０】
請求項６記載の端子カバーは、請求項１から５のいずれか一に記載の端子カバーであって、前記本体は、前記挿入方向に挿入された前記電池パックの係合手段と係合する係合保持部を有することを特徴とする。上記構成により、電池パックに装着した端子カバーの係止部を利用して電池パックを搬送するときに、電池パックの端子カバーからの抜け落ちを防止できる。好ましくは、電池パックの係合手段は、挿入方向に伸長する充電端子又は放電端子などの複数の端子であり、係合保持部は、この複数の端子の間に差し込まれる、挿入方向に伸長する複数の部材からなる。
【００１１】
請求項７記載の電池パックは、請求項１から６までのいずれか一に記載の端子カバーを有することを特徴とする。上記構成により、電池パックに端子カバーが装着されているとき、電池パックを搬送するときに、例えば作業者のズボンのベルトなどに係止部を係止させることができ、電池パックを容易に運搬することができる。
【発明の効果】
【００１２】
本発明の端子カバーによれば、電池パックに装着したときに、電池パックの充放電端子を保護すると共に、電池パックを容易に搬送することができるという優れた効果を奏し得る。
【図面の簡単な説明】
【００１３】
【図１】端子カバーの上面図、側面図及び底面図を示す。
【図２】端子カバーが装着される電池パックの斜視図を示す。
【図３】端子カバーを装着した電池パックの側面図を示す。
【図４】端子カバーを装着した電池パックの上面図を示す。
【発明を実施するための形態】
【００１４】
以下、本発明の実施の形態の端子カバーを添付図面を参照して説明する。なお、以下の説明において、Ｘ方向、Ｙ方向、Ｚ方向は、各図面において示す方向をさすものとする。
【００１５】
図１、図３及び図４に示す端子カバー１０は、２次電池を有する電池パック２０（図２）の充電端子（正極端子）２１ａ、放電端子（負極端子）２１ｂ等の端子を保護するためのものであり、本体１が例えば塩化ビニル樹脂などのプラスチック素材などの非導電性部材から成型される。本体１は、矩形の平板からなり、各々がＸ方向に伸長して互いに平行な２つの側端部に、それぞれガイドレール部２を有する。ガイドレール部２は、端子カバー１０を電池パック２０（図２）に装着するときに、ガイドレール部２をＸ方向を挿入方向として電池パック２０に対して挿入（摺動）させることによって、ガイドレール部２は電池パック２０のスライドレール２２と係合して端子カバー１０が電池パックに装着されるようになっている。電池パック２０に装着されたときに、本体１の内面１Ａは、電池パック２０と対向して、図２に示す電池パック２０の端子２１ａ、２１ｂ等の端子部を覆って外部から隠し、端子２１ａ、２１ｂ等の端子部を外力や外部からの異物の混入による短絡から保護する。
【００１６】
また、ガイドレール部２の挿入方向下流側には、係合部としての係合爪２Ａが設けられている。係合爪２Ａは、端子カバー１０が電池パック２０に装着されたときに、電池パック２０の係合部２３ａと係合して、端子カバー１０が電池パック２０から抜け落ちることを防止する。係合部２３ａは、操作部２３の操作に連動してスライドレール２２内への突出量が変化する。操作部２３を押すことで係合部２３ａはスライドレール２２から引っ込み、操作部２３を離すと係合部２３ａは図２の状態のように、スライドレール２２内に突出する。なお、操作部２３、係合部２３ａは電池パック２０の両側にＹ方向に伸長するように設けられている。
【００１７】
係合爪２Ａは、挿入方向下流側の部分が傾斜している。従って、端子カバー１０を電池パック２０に装着するときに、電池パック２０の操作部２３を操作（押圧）しなくても、係合爪２Ａは、係合部２３ａに係合することができる。一方、端子カバー１０を電池パック２０から外すときには、操作部２３を操作して係合爪２Ａと係合部２３ａとの係合を解除する。
【００１８】
本体１の外面１Ｂには、フック状の係止部３が本体１と一体的に設けられている。係止部３は、本体１に連結される連結部３Ａと、先端部３Ｂとを有する。先端部３Ｂが、挿入方向において連結部３Ａの上流側に位置するように、連結部３Ａが本体１に取り付けられている。従って、例えば係止部３を作業服のズボン等に引っかけることによって、端子カバー１０を装着した電池パック２０を搬送するときに、電池パック２０の自重が連結部３Ａに対して挿入方向とは反対方向に作用するので、電池パック２０から端子カバー１０の抜け落ちを防止することができる。
【００１９】
また、係止部３は、長手方向の中心線Ｌが、本体１のＹ方向の長さを幅とするときに、幅の中心部Ｍと一致するように、本体１に設けられている。従って、電池パック２０を、係止部３を作業者のズボンなどの他の部材に係止させて携帯するときのバランスを良くすることができる。
【００２０】
通常、電池パック２０の端子２１ａ，２１ｂを含む端子は、Ｘ方向に伸長している。さらに、端子２１ａ，２１ｂ等を各々保護するように、端子２１ａ，２１ｂ間にＸ方向に伸長する突起２１が係合手段として形成されている。端子カバー１０の内面１Ａには、電池パック２０に装着されたときに突起２１の間に挿入されて係止する係合保持部４が設けられている。端子カバー１０の係合爪２Ａと電池パック２０の係合部２３ａとの係合に加え、端子カバー１０の係合保持部４と電池パック２０の突起２１とが係合することによって、端子カバー１０の電池パック２０からの抜け落ちを防止することができる。なお、係合保持部４と係合する部材は、電池パック２０の端子２１ａ，２１ｂであっても良い。この場合、電池パック２０の端子は雌型形状とすれば良い。
【００２１】
図３及び図４に、電池パック２０に装着された端子カバー１０を示す。端子カバー１０の先端部３Ｂを連結部３Ａに対して上流方向に配置させて、ガイドレール部２を電池パック２０のスライドレール２２に差し込み、挿入方向に摺動させる。端子カバー１０の係合爪２Ａが電池パック２０の係合部２３ａに係合するまで、端子カバー１０を電池パック２０に対して挿入方向に摺動させると、端子カバー１０の電池パック２０への装着は完了する。端子カバー１０が電池パック２０に装着された状態で、図３に示すように、係止部３の連結部３Ａは、電池パック２０の重心Ｗに対して挿入方向（Ｘ方向）において下流側に位置する。当該構成により、係止部３の先端部３Ｂを外部の被係止部材（図示せぬ）に係止させたときに、係止部３を中心にして、電池パック２０は、その自重により安定的につり下がる。従って、電池パック２０を簡単な方法により搬送することができ、電池パック２０の携帯性が向上する。更に、先端部３Ｂを重心Ｗに対して挿入方向において上流側に位置させることで、電池パック２０を係止部３によって安定的につり下げることができると共に、係止部３が被係止部材から外れることを抑制することができる。
【産業上の利用可能性】
【００２２】
本発明の端子カバーは、内部に電源を有して外面に充電端子や放電端子が露出し携帯可能な適宜の電源装置に利用することができる。
【符号の説明】
【００２３】
１    本体
２    ガイドレール部
３    係止部
１０    端子カバー
２０    電池パック
【図１】
2012119108.tif 000003
【図２】
2012119108.tif 000004
【図３】
2012119108.tif 000005
【図４】
2012119108.tif 000006